(57)【要約】  引出（６）に、特に引出側壁（７）に、フロントパネル（５）を取外し可能に取り付けるための取付装置（１，２，３，４，８１）であって、フロントパネル（５）に予め取付け可能な少なくとも１つの家具用金具（８，９）と、引出（６）に配属された、少なくとも１つの家具用金具（８）のための少なくとも１つのキャッチ装置（１０，１１，１２）であって、少なくとも１つの家具用金具（８）の導入の際に、家具用金具を受容し、自動的に引出（６）に向かって引っぱるキャッチ装置（１０，１１，１２）と、取付装置（１，２，３，４，８１）から少なくとも１つの家具用金具（８，９）が意図に反して外れるのを阻止する少なくとも１つのロック装置（１３，１４，１５，１６，８２）と、少なくとも１つのロック装置（１３，１４，１５，１６，８２）の運動を、少なくとも１つのキャッチ装置（１０，１１，１２）の運動に連結するための連結装置（１７，１８，１９，２０）と、を有しており、連結装置（１７，１８，１９，２０）は、少なくとも１つの作動体（１７）と少なくとも１つの作動輪郭（１８，１９，２０）とを有しており、この作動輪郭内にまたはこの作動輪郭に沿って、少なくとも１つの作動体（１７）が配置されておりまたは配置可能であって、少なくとも１つの作動体（１７）は少なくとも１つのキャッチ装置（１０，１１，１２）に、少なくとも１つの作動輪郭（１８，１９，２０）は少なくとも１つのロック装置（１３，１５，１６）に配置されていて、または逆に、少なくとも１つの作動体（１７）は少なくとも１つのロック装置（１３，１５，１６）に、少なくとも１つの作動輪郭（１８，１９，２０）は少なくとも１つのキャッチ装置（１０，１１，１２）に配置されており、少なくとも１つの作動輪郭（１８，１９，２０）は、少なくとも１つの家具用金具（８）の導入の際に、少なくとも１つのロック装置（１３，１４，１５，１６，８２）の運動が、一時的にのみ、少なくとも１つのキャッチ装置（１０，１１，１２）の運動に連結されるように形成されている。
2021501654.tif 000002
【特許請求の範囲】
【請求項１】
引出（６）に、特に引出側壁（７）に、フロントパネル（５）を取外し可能に取り付けるための取付装置（１，２，３，４，８１）であって、
前記フロントパネル（５）に予め取付け可能な少なくとも１つの家具用金具（８，９）と、
前記引出（６）に配設された、前記少なくとも１つの家具用金具（８）のための少なくとも１つのキャッチ装置（１０，１１，１２）であって、前記少なくとも１つの家具用金具（８）の導入の際に、前記家具用金具を受容し、自動的に前記引出（６）に向かって引っぱるキャッチ装置（１０，１１，１２）と、
前記取付装置（１，２，３，４，８１）から前記少なくとも１つの家具用金具（８，９）が意図に反して外れるのを阻止する少なくとも１つのロック装置（１３，１４，１５，１６，８２）と、
前記少なくとも１つのロック装置（１３，１４，１５，１６，８２）の運動を、前記少なくとも１つのキャッチ装置（１０，１１，１２）の運動に連結するための連結装置（１７，１８，１９，２０）と、
を有している、取付装置（１，２，３，４，８１）において、
前記連結装置（１７，１８，１９，２０）は、少なくとも１つの作動体（１７）と少なくとも１つの作動輪郭（１８，１９，２０）とを有しており、前記作動輪郭内にまたは前記作動輪郭に沿って、前記少なくとも１つの作動体（１７）が配置されておりまたは配置可能であって、前記少なくとも１つの作動体（１７）は前記少なくとも１つのキャッチ装置（１０，１１，１２）に、前記少なくとも１つの作動輪郭（１８，１９，２０）は前記少なくとも１つのロック装置（１３，１５，１６）に配設されていて、または逆に、前記少なくとも１つの作動体（１７）は前記少なくとも１つのロック装置（１３，１５，１６）に、前記少なくとも１つの作動輪郭（１８，１９，２０）は前記少なくとも１つのキャッチ装置（１０，１１，１２）に配設されており、前記少なくとも１つの作動輪郭（１８，１９，２０）は、前記少なくとも１つの家具用金具（８）の導入の際に、前記少なくとも１つのロック装置（１３，１４，１５，１６，８２）の運動が、一時的にのみ、前記少なくとも１つのキャッチ装置（１０，１１，１２）の運動に連結されるように形成されていることを特徴とする、
取付装置（１，２，３，４，８１）。
【請求項２】
前記取付装置（１，２，３，４，８１）は少なくとも１つのばね（２１）を含み、前記少なくとも１つのキャッチ装置（１０，１１，１２）は、前記少なくとも１つの家具用金具（８）の導入の際に、前記家具用金具を、前記少なくとも１つのばね（２１）の力によって自動的に前記引出（６）に向かって引っぱる、請求項１記載の取付装置（１，２，３，４，８１）。
【請求項３】
前記少なくとも１つのキャッチ装置（１０，１１，１２）は、前記少なくとも１つのキャッチ装置（１０，１１，１２）が、前記少なくとも１つの家具用金具（８）を導入の際に受容するために待機している待機位置と、前記少なくとも１つのキャッチ装置（１０，１１，１２）が前記少なくとも１つの家具用金具（８）を受容後に自動的に前記引出（６）に向かって引っぱる少なくとも１つの駆動位置とに運動可能であって、好適には、前記少なくとも１つのキャッチ装置（１０，１１，１２）は、１つの回転軸（２２）を中心として旋回可能なキャッチレバー（２３，２４，２５）を有している、請求項１または２記載の取付装置（１，２，３，４，８１）。
【請求項４】
前記少なくとも１つのロック装置（１３，１４，１５，１６，８２）は、前記取付装置（１，２，３，４，８１）からの前記少なくとも１つの家具用金具（８，９）が意図に反して外れるのを阻止するために、前記少なくとも１つの家具用金具（８，９）に係合可能な、好適には湾曲したロック輪郭（２６，２７，２８，２９，８３）を含み、好適には前記少なくとも１つの家具用金具（８，９）は前記ロック輪郭（２６，２７，２８，２９，８３）によってロック可能である、請求項１から３までのいずれか１項記載の取付装置（１，２，３，４，８１）。
【請求項５】
前記少なくとも１つのロック装置（１３，１４，１５，１６，８２）は、前記少なくとも１つの家具用金具（８，９）が、前記少なくとも１つのロック装置（１３，１４，１５，１６，８２）に対して自由に運動可能である解除位置と、前記取付装置（１，２，３，４，８１）から前記少なくとも１つの家具用金具（８，９）が意図に反して外れるのを阻止するロック位置とに運動可能であって、好適には、前記少なくとも１つのロック装置（１３，１４，１５，１６，８２）は、１つの回転軸（３０，８４）を中心として旋回可能なロックレバー（３１，３２，３３，８５）を有している、請求項１から４までのいずれか１項記載の取付装置（１，２，３，４，８１）。
【請求項６】
前記少なくとも１つの作動体（１７）は、ピンとして、好適には拡幅された頭部を有するピンとして、形成されている、請求項１から５までのいずれか１項記載の取付装置（１，２，３，４，８１）。
【請求項７】
前記少なくとも１つの作動輪郭（１８，１９，２０）は、前記少なくとも１つの家具用金具（８，９）の導入の際に前記少なくとも１つのロック装置（１３，１４，１５，１６，８２）の運動を、前記少なくとも１つのキャッチ装置（１０，１１，１２）の運動に連結可能な少なくとも１つの連結区分（３４，３５，３６）を有している、請求項１から６までのいずれか１項記載の取付装置（１，２，３，４，８１）。
【請求項８】
前記少なくとも１つの作動輪郭（１８，２０）は、前記少なくとも１つの家具用金具（８，９）の導入の際に前記少なくとも１つのキャッチ装置（１０，１２）の運動から前記少なくとも１つのロック装置（１３，１４，１６，８２）の運動を分離するための、前記連結区分（３４，３６）とは別個の少なくとも１つの分離区分（３７，３８）を有しており、好適には前記少なくとも１つの連結区分（３４，３６）と前記少なくとも１つの分離区分（３７，３８）とは互いに屈曲されており、または
前記少なくとも１つの作動輪郭（１９）は、前記少なくとも１つの連結区分（３５）に隣接する開かれた端部（３９）を有している、
請求項７記載の取付装置（１，２，３，４，８１）。
【請求項９】
前記取付装置（１，２，３，４，８１）は、少なくとも１つの組付けプレート（４０，４１，４２，４３，８６）を有しており、前記少なくとも１つの組付けプレート（４０，４１，４２，４３，８６）には少なくとも１つのガイド輪郭（４４，４５，４６）が形成されていて、前記少なくとも１つの作動体（１７）は、前記少なくとも１つのガイド輪郭（４４，４５，４６）内で、または前記少なくとも１つのガイド輪郭（４４，４５，４６）に沿って摺動可能に支持されている、請求項１から８までのいずれか１項記載の取付装置（１，２，３，４，８１）。
【請求項１０】
前記少なくとも１つの家具用金具（８，９）は、前記少なくとも１つの家具用金具（８，９）を前記フロントパネル（５）に組み付けるための少なくとも１つの取付エレメント（４７）を、かつ／または前記少なくとも１つのキャッチ装置（１０，１１，１２）および／または前記少なくとも１つのロック装置（１３，１４，１５，１６，８２）と協働する横方向ピン（４８）またはピン（７８）を有している、請求項１から９までのいずれか１項記載の取付装置（１，２，３，４，８１）。
【請求項１１】
前記少なくとも１つの家具用金具（８）は、仮想中心平面（４９）に対して非対称に形成されている、請求項１から１０までのいずれか１項記載の取付装置（１，２，３，４，８１）。
【請求項１２】
前記取付装置（１，２，３，４，８１）は、
前記取付装置（１，２，３，４，８１）から前記少なくとも１つの家具用金具（８，９）を意図的に外すことを可能にする、前記少なくとも１つのロック装置（１３，１４，１５，１６，８２）のためのロック解除装置（５０）を有しており、前記ロック解除装置（５０）は、前記少なくとも１つのロック装置（１３，１４，１５，１６，８２）を前記少なくとも１つの家具用金具（８，９）から離して、前記少なくとも１つの家具用金具（８，９）を解放するものであり、好適には前記ロック解除装置（５０）は、外側から接近可能な、工具のための工具受容部を有していて、前記工具受容部を介して前記ロック解除装置（５０）を操作することができるようになっており、かつ／または
前記取付装置は、前記フロントパネル（５）のための高さ調節装置（５１）および／または側方調節装置（５２）を有している、
請求項１から１１までのいずれか１項記載の取付装置（１，２，３，４，８１）。
【請求項１３】
引出（６）と、フロントパネル（５）と、前記フロントパネル（５）を前記引出（６）に取外し可能に取り付けるための、請求項１から１２までのいずれか１項記載の少なくとも１つの取付装置（１，２，３，４，８１）とから成るアッセンブリであって、好適には前記引出（６）は、少なくとも所定の領域で中空の少なくとも１つの引出側壁（７）を含み、前記少なくとも１つの取付装置（１，２，３，４，８１）は、その大部分が、前記少なくとも１つの引出側壁（７）内に配置されている、アッセンブリ。
【請求項１４】
請求項１３記載の少なくとも１つのアッセンブリを備えた家具。
【請求項１５】
請求項１から１２までのいずれか１項記載の少なくとも１つの取付装置（１，２，３，４，８１）によって、引出（６）に、特に引出側壁（７）に、フロントパネル（５）を取り付ける方法であって、
第１の方法ステップで、少なくとも１つの家具用金具（８，９）を前記フロントパネル（５）に組み付け、
第２の方法ステップで、前記少なくとも１つの家具用金具（８）を少なくとも１つのキャッチ装置（１０，１１，１２）によって受容し、自動的に前記引出（６）に向かって引っぱり、この際に、前記少なくとも１つのキャッチ装置（１０，１１，１２）の運動と少なくとも１つのロック装置（１３，１４，１５，１６，８２）の運動とを最初は分離し、次いで連結装置（１７，１８，１９，２０）を介して互いに連結し、
第３の方法ステップで、前記取付装置（１，２，３，４，８１）からの前記少なくとも１つの家具用金具（８，９）が意図に反して外れるのを、前記少なくとも１つのロック装置（１３，１４，１５，１６，８２）によって阻止する、
方法。
【発明の詳細な説明】
【技術分野】
【０００１】
本発明は、請求項１の上位概念に記載の特徴を有する取付装置に関する。本発明はさらに、引出とフロントパネルと少なくとも１つのこのような取付装置とから成るアッセンブリ、ならびに少なくとも１つのこのようなアッセンブリを備えた家具に関する。そして最後に、本発明は、引出にフロントパネルを取り付ける方法に関する。
【０００２】
請求項１の上位概念に記載の形式の取付装置は、従来技術により公知である。既存の取付装置の欠点は、個々の構成部分を相対的に動かす際に、互いに摩擦力を克服しなければならないので、操作しにくい点にある。これにより特に、少なくとも１つの家具用金具の導入が妨げられ、取付装置の耐用期間は減じられる。
【０００３】
本発明の課題は、従来技術の欠点を解消し、特に摩擦力が低い点で優れている、従来技術に対して改善された取付装置を提供することである。別の課題は、このような改善された取付装置を備えたアッセンブリ、ならびに少なくとも１つのこのようなアッセンブリを備えた家具を提供することである。そして最後に、さらなる課題は、本発明による改善された取付装置を用いて引出にフロントパネルを取り付ける方法を提供することである。
【０００４】
この課題は、独立請求項１、１３、１４、および１５に記載の特徴により解決される。
【０００５】
すなわち、取付装置に関しては、連結装置が、少なくとも１つの作動体と少なくとも１つの作動輪郭とを有しており、この作動輪郭内にまたはこの作動輪郭に沿って、少なくとも１つの作動体が配置されておりまたは配置可能であって、少なくとも１つの作動体は少なくとも１つのキャッチ装置に、少なくとも１つの作動輪郭は少なくとも１つのロック装置に配置されていて、または逆に、少なくとも１つの作動体は少なくとも１つのロック装置に、少なくとも１つの作動輪郭は少なくとも１つのキャッチ装置に配置されており、少なくとも１つの作動輪郭は、少なくとも１つの家具用金具の導入の際に、少なくとも１つのロック装置の運動が、一時的にのみ、少なくとも１つのキャッチ装置の運動に連結されるように形成されている。
【０００６】
少なくとも１つのロック装置の運動が、少なくとも１つの家具用金具の導入の際の少なくとも１つのキャッチ装置の運動に、一時的にのみ連結されることにより、少なくとも１つのロック装置を、実際に必要なときにのみ動かすことができる。従来技術では、少なくとも１つのキャッチ装置の運動と少なくとも１つのロック装置の運動とは、永続的に互いに連結されているので、これら両装置のうちの一方は特定の目的を満たすわけでもなしに動かされるという状況がプロセスにおいて生じ得る。これにより不要な摩擦損失が生じ得る。これに対して本発明では、両装置を必要に応じて動かすことができる。例えば、少なくとも１つの家具用金具を少なくとも１つのキャッチ装置によって受容し、自動的に引出に向かって引っぱり、この場合、少なくとも１つのキャッチ装置の運動と、少なくとも１つのロック装置の運動とは、まずは分離されており、次いで連結装置を介して互いに連結され、すなわち、まずは少なくとも１つのキャッチ装置のみが運動し、これに対し少なくとも１つのロック装置は実質的に静止したままであり、次いで、少なくとも１つのロック装置を少なくとも１つの家具用金具に配置し、これにより、少なくとも１つの家具用金具が取付装置から意図に反して外れることを阻止するために少なくとも１つのロック装置が動かされるという方法のプロセスを実現することができる。
【０００７】
少なくとも１つのキャッチ装置が少なくとも１つの家具用金具を、導入の際に自動的に引出に向かって引っぱることを簡単な形式で保証するために、好適な実施例では、取付装置が少なくとも１つのばねを含み、少なくとも１つのキャッチ装置は、少なくとも１つの家具用金具の導入の際に、家具用金具を、少なくとも１つのばねの力によって自動的に引出に向かって引っぱる。代替的には別の駆動機構が設けられていてもよい。
【０００８】
さらには、少なくとも１つのキャッチ装置は、少なくとも１つのキャッチ装置が、少なくとも１つの家具用金具を導入の際に受容するために待機している待機位置と、少なくとも１つのキャッチ装置が少なくとも１つの家具用金具を受容後に自動的に引出に向かって引っぱる少なくとも１つの駆動位置とに運動可能であって、好適には、少なくとも１つのキャッチ装置は、１つの回転軸を中心として旋回可能なキャッチレバーを有していることが提案される。
【０００９】
少なくとも１つのロック装置に関しては、少なくとも１つのロック装置が、取付装置から少なくとも１つの家具用金具が意図に反して外れるのを阻止するために、少なくとも１つの家具用金具に配置可能な、好適には湾曲したロック輪郭を含み、好適には少なくとも１つの家具用金具はロック輪郭によってロック可能であると、かつ／または少なくとも１つのロック装置は、少なくとも１つの家具用金具が、少なくとも１つのロック装置に対して自由に運動可能である解除位置と、取付装置から少なくとも１つの家具用金具が意図に反して外れるのを阻止するロック位置とに運動可能であって、好適には、少なくとも１つのロック装置は、１つの回転軸を中心として旋回可能なロックレバーを有していると、特に好適であることがわかった。
【００１０】
少なくとも１つの作動体に関しては、少なくとも１つの作動体が、ピンとして、好適には拡幅された頭部を有するピンとして、形成されていることにより、特に安定的な構成を実現することができる。
【００１１】
少なくとも１つの作動体は、この作動体が配置されている少なくとも１つのキャッチ装置もしくは少なくとも１つのロック装置に堅固に結合されている。
【００１２】
少なくとも１つのロック装置の運動を、少なくとも１つの家具用金具の導入の際の少なくとも１つのキャッチ装置の運動に連結するために、少なくとも１つの作動体は少なくとも１つの連結区分を有していてよい。
【００１３】
少なくとも１つの家具用金具の導入の際に少なくとも１つのキャッチ装置の運動から少なくとも１つのロック装置の運動を分離するために、少なくとも１つの作動輪郭が、連結区分とは別個の少なくとも１つの分離区分を有していてよく、好適には少なくとも１つの連結区分と少なくとも１つの分離区分とは互いに屈曲されていてよく、または少なくとも１つの作動輪郭は、少なくとも１つの連結区分に隣接する開かれた端部を有していてよい。少なくとも１つの分離区分と少なくとも１つの連結区分とが互いに屈曲されている場合には、少なくとも１つの分離区分と少なくとも１つの連結区分とは互いに７０°〜１３０°の角度を、好適には約９０°の角度を成していると有利であることがわかった。
【００１４】
少なくとも１つの作動体の運動を予め規定するために、取付装置は、少なくとも１つの組付けプレートを有していてよく、少なくとも１つの組付けプレートには少なくとも１つのガイド輪郭が形成されていて、少なくとも１つの作動体は、少なくとも１つのガイド輪郭内で、または少なくとも１つのガイド輪郭に沿って摺動可能に支持されている。
【００１５】
少なくとも１つの家具用金具は、少なくとも１つの家具用金具をフロントパネルに組み付けるための少なくとも１つの取付エレメントを、かつ／または少なくとも１つのキャッチ装置および／または少なくとも１つのロック装置と協働する横方向ピンまたはピンを有していると有利であることが示された。
【００１６】
少なくとも１つの家具用金具は、仮想中心平面に関して非対称に形成されていると好適であることも示された。これにより、フロントパネルを最適に支持することができると同時に、取付装置のコンパクトな構成形式を実現することもできる。さらにこのような構成により、少なくとも１つの家具用金具を様々なフロントパネル高さのために自在に装着することができる。
【００１７】
さらに好適な構成では、取付装置は、取付装置から少なくとも１つの家具用金具を意図的に外すことを可能にする、少なくとも１つのロック装置のためのロック解除装置を有しており、ロック解除装置は、少なくとも１つのロック装置を少なくとも１つの家具用金具から離して、少なくとも１つの家具用金具を解放し、好適にはロック解除装置は、外側から接近可能な、工具のための工具受容部を有しており、工具受容部を介してロック解除装置を操作することができ、かつ／または取付装置は、フロントパネルのための高さ調節装置および／または側方調節装置を有している。
【００１８】
冒頭で述べたように、一方では、引出と、フロントパネルと、フロントパネルを引出に取外し可能に取り付けるための少なくとも１つの本発明による取付装置とから成るアッセンブリであって、好適には引出は、少なくとも所定の領域で中空の少なくとも１つの引出側壁を含み、少なくとも１つの取付装置は、その大部分が、少なくとも１つの引出側壁内に配置されている、アッセンブリに関しても、他方では、少なくとも１つのこのようなアッセンブリを備えた家具に関しても特許権保護が求められる。
【００１９】
少なくとも１つの本発明による取付装置によって、引出に、特に引出側壁に、フロントパネルを取り付ける本発明による方法によれば、第１の方法ステップで、少なくとも１つの家具用金具をフロントパネルに組み付け、第２の方法ステップで、少なくとも１つの家具用金具を少なくとも１つのキャッチ装置によって受容し、自動的に引出に向かって引っぱり、この際に、少なくとも１つのキャッチ装置の運動と少なくとも１つのロック装置の運動とを最初は分離し、次いで連結装置を介して互いに連結し、第３の方法ステップで、取付装置から少なくとも１つの家具用金具が意図に反して外れるのを、少なくとも１つのロック装置によって阻止する。
【００２０】
本発明のさらなる詳細および利点を、図面を参照して図面を説明しながら以下に詳しく説明する。
【図面の簡単な説明】
【００２１】
【図１】引出側壁を、略示された引出底面と略示されたフロントパネルと共に示す斜視図である。
【図２ａ】取付装置の第１の実施例を引出内室から見た斜視図である。
【図２ｂ】取付装置の第１の実施例を図２ａの反対側から見た斜視図である。
【図２ｃ】取付装置の第１の実施例を分解して示した斜視図である。
【図３ａ】第１の実施例による取付装置の一部を、家具用金具の導入前の位置で示す第１の側から見た平面図である。
【図３ｂ】第１の実施例による取付装置の一部を、家具用金具の導入前の位置で示す図３ａとは反対側の第２の側から見た平面図である。
【図４ａ】第１の実施例による取付装置の一部を、家具用金具の導入の際の第１の位置で示す第１の側から見た平面図である。
【図４ｂ】第１の実施例による取付装置の一部を、家具用金具の導入の際の第１の位置で示す第１の側とは反対側の第２の側から見た平面図である。
【図５ａ】第１の実施例による取付装置の一部を、家具用金具の導入の際の第２の位置で示す第１の側から見た平面図である。
【図５ｂ】第１の実施例による取付装置の一部を、家具用金具の導入の際の第２の位置で示す第１の側とは反対側の第２の側から見た平面図である。
【図６ａ】第１の実施例による取付装置の一部を、引出側壁にフロントパネルが当接する位置で示す第１の側から見た平面図である。
【図６ｂ】第１の実施例による取付装置の一部を、引出側壁にフロントパネルが当接する位置で示す第１の側とは反対側の第２の側から見た平面図である。
【図７ａ】取付装置の第２の実施例を、家具用金具の導入前の位置で示す第１の側から見た斜視図である。
【図７ｂ】取付装置の第２の実施例を、家具用金具の導入前の位置で示す第１の側とは反対側の第２の側から見た斜視図である。
【図８ａ】第２の実施例による取付装置の一部を、家具用金具の導入の際の第１の位置で示す第１の側から見た平面図である。
【図８ｂ】第２の実施例による取付装置の一部を、家具用金具の導入の際の第１の位置で示す第１の側とは反対側の第２の側から見た平面図である。
【図９ａ】第２の実施例による取付装置の一部を、引出側壁にフロントパネルが当接する位置で示す第１の側から見た平面図である。
【図９ｂ】第２の実施例による取付装置の一部を、引出側壁にフロントパネルが当接する位置で示す第１の側とは反対側の第２の側から見た平面図である。
【図１０ａ】第３の実施例による取付装置の一部を、家具用金具の導入前の位置で示す第１の側から見た平面図である。
【図１０ｂ】第３の実施例による取付装置の一部を、家具用金具の導入前の位置で示す第１の側とは反対側の第２の側から見た平面図である。
【図１１ａ】第３の実施例による取付装置の一部を、家具用金具の導入の際の第１の位置で示す第１の側から見た平面図である。
【図１１ｂ】第３の実施例による取付装置の一部を、家具用金具の導入の際の第１の位置で示す第１の側とは反対側の第２の側から見た平面図である。
【図１２ａ】第３の実施例による取付装置の一部を、家具用金具の導入の際の第２の位置で示す第１の側から見た平面図である。
【図１２ｂ】第３の実施例による取付装置の一部を、家具用金具の導入の際の第２の位置で示す第１の側とは反対側の第２の側から見た平面図である。
【図１３ａ】第３の実施例による取付装置の一部を、引出側壁にフロントパネルが当接する位置で示す第１の側から見た平面図である。
【図１３ｂ】第３の実施例による取付装置の一部を、引出側壁にフロントパネルが当接する位置で示す第１の側とは反対側の第２の側から見た平面図である。
【図１４ａ】取付装置の第４の実施例を、家具用金具の導入前の位置で示す第１の側から見た斜視図である。
【図１４ｂ】取付装置の第４の実施例を、家具用金具の導入前の位置で示す第１の側とは反対側の第２の側から見た斜視図である。
【図１５ａ】第４の実施例による取付装置の一部を、家具用金具の導入前の位置で示す第１の側から見た平面図である。
【図１５ｂ】第４の実施例による取付装置の一部を、家具用金具の導入前の位置で示す第１の側とは反対側の第２の側から見た平面図である。
【図１６ａ】第４の実施例による取付装置の一部を、家具用金具の導入の際の第１の位置で示す第１の側から見た平面図である。
【図１６ｂ】第４の実施例による取付装置の一部を、家具用金具の導入の際の第１の位置で示す第１の側とは反対側の第２の側から見た平面図である。
【図１７ａ】第４の実施例による取付装置の一部を、家具用金具の導入の際の第２の位置で示す第１の側から見た平面図である。
【図１７ｂ】第４の実施例による取付装置の一部を、家具用金具の導入の際の第２の位置で示す第１の側とは反対側の第２の側から見た平面図である。
【図１８ａ】第４の実施例による取付装置の一部を、家具用金具の導入の際の第３の位置で示す第１の側から見た平面図である。
【図１８ｂ】第４の実施例による取付装置の一部を、家具用金具の導入の際の第３の位置で示す第１の側とは反対側の第２の側から見た平面図である。
【図１９ａ】第４の実施例による取付装置の一部を、引出側壁にフロントパネルが当接する位置で示す第１の側から見た平面図である。
【図１９ｂ】第４の実施例による取付装置の一部を、引出側壁にフロントパネルが当接する位置で示す第１の側とは反対側の第２の側から見た平面図である。
【図２０ａ】取付装置の第５の実施例を、家具用金具の導入前の位置で示す第１の側から見た斜視図である。
【図２０ｂ】取付装置の第５の実施例を、家具用金具の導入前の位置で示す第１の側とは反対側の第２の側から見た斜視図である。
【図２１ａ】第５の実施例による取付装置の一部を、家具用金具の導入の際の第１の位置で示す第１の側から見た平面図である。
【図２１ｂ】第５の実施例による取付装置の一部を、家具用金具の導入の際の第１の位置で示す第１の側とは反対側の第２の側から見た平面図である。
【図２２ａ】第５の実施例による取付装置の一部を、引出側壁にフロントパネルが当接する位置で示す第１の側から見た平面図である。
【図２２ｂ】第５の実施例による取付装置の一部を、引出側壁にフロントパネルが当接する位置で示す第１の側とは反対側の第２の側から見た平面図である。
【００２２】
図１には、引出側壁７が示されており、この引出側壁は、少なくとも所定の領域でＵ字型に形成されたカバープロファイル５４と引出レール５５とを含み、カバープロファイル５４は引出レール５５上に被せられている。引出レール５５は載置ウェブ７４を有しており、この載置ウェブ上には、破線で略示された引出底面７３を配置することができる。
【００２３】
一点鎖線によりフロントパネル５が示されており、このフロントパネルには、家具用金具８が取り付けられている。この家具用金具８は、引出６にフロントパネル５を取外し可能に取り付けるための取付装置１（後続の図を参照）の部分である。家具用金具８は、拡張栓の形態の２つの取付エレメント４７を有している。
【００２４】
反対側に位置する引出側壁７の端部には、引出背壁を保持するための背壁ホルダ５３が配置されている。
【００２５】
図２ａには、引出側壁７の、フロントパネル５に面した前側の領域が拡大図で示されており、この場合、カバープロファイル５４は取り外されている。
【００２６】
図示されているように、引出レール５５には、取付装置１の大部分が配置されている。この図面および後続の両図２ｂおよび２ｃからわかるように、取付装置１は、フロントパネル５に予め取り付けることができる家具用金具８の他に、導入の際に家具用金具を受容し、自動的に引出６に向かって引っぱる、引出６に配設されたキャッチ装置１０と、家具用金具８が取付装置１から意図に反して外れてしまうのを阻止する、キャッチ装置１０とは別個のロック装置１３と、ロック装置１３の運動をキャッチ装置１０の運動に連結するための連結装置１７，１８とを含む。
【００２７】
連結装置１７，１８は、作動体１７と、作動体１７が配置されている作動輪郭１８とを有しており、作動体１７はキャッチ装置１０に、作動輪郭１８はロック装置１３に配置されている。ロック装置１３における作動体１７、およびキャッチ装置１０における作動輪郭１８という逆の配置であっても同様に良好であり得る。
【００２８】
作動体１７はピンとして形成されており、ピンは図示した実施例では拡幅された頭部を有している。
【００２９】
作動輪郭１８は、家具用金具８を導入する際に、ロック装置１３の運動が、一時的にのみ、キャッチ装置１０の運動に連結されるように形成されている。このために作動輪郭１８は、家具用金具８の導入時におけるロック装置１３の運動を、キャッチ装置１０の運動に連結することができる連結区分３４を有している（図２ｃにおけるロック装置１３の拡大図参照）。さらに作動輪郭１８は、家具用金具８を導入する際に、ロック装置１３の運動をキャッチ装置１０の運動から分離するために、連結区分３４とは別個の分離区分３７を有している。図示した実施例では、連結区分３４と分離区分３７とは互いに屈曲されている。これらの区分は、約９０°の角度５８を成している。
【００３０】
取付装置１は、ばね２１を含んでいる。家具用金具８の導入の際には、キャッチ装置１０が家具用金具８を、ばね２１の力によって自動的に引出６に向かって引っぱる。図示した実施例ではばね２１は圧縮ばねとして形成されている。ばね２１はさらに、ばねガイド５６上に配置されていて、取付装置１の組付けプレート４０の支持輪郭７９で支持されている。
【００３１】
組付けプレート４０にはガイド輪郭４４が形成されていて、ガイド輪郭４４内では作動体１７が摺動可能に支持されている。
【００３２】
組付けプレート４０の側方にさらにカバープレート６１がある。このカバープレートは、以後の図面では、組付けプレート４０とカバープレート６１との間に配置されるロック装置１３を見えるように示すために、省略されている。
【００３３】
キャッチ装置１０は、回転軸２２（図２ａ参照）を中心として旋回可能なキャッチレバー２３を有している。キャッチレバーは、図示した実施例では、ばね２１によって直接、負荷される。
【００３４】
ロック装置１３は、回転軸３０を中心として旋回可能なロックレバー３１を有している。
【００３５】
その他に、ロック装置１３は、取付装置１から家具用金具８が意図に反して外れるのを阻止するために、家具用金具８に係合可能なロック輪郭２６を含む。この実施例では、ロック輪郭２６は湾曲されて形成されている。例えば図６ａおよび図６ｂに示されているように、家具用金具８はロック輪郭２６によってロック可能である。
【００３６】
特に図２ｃに示されているように、家具用金具８はＵ字型プロファイル５７を有していて、このＵ字型プロファイル内には横方向ピン４８が配置されている。この実施例では、この横方向ピン４８を介して家具用金具８は、キャッチ装置１０およびロック装置１３と協働する。以下の図面ではそれぞれ、家具用金具８のうち横方向ピン４８のみが示されている。
【００３７】
横方向ピン４８はさらに、組付けプレート４０に形成されたガイド輪郭６０と協働する。ガイド輪郭６０は、フロントパネル５側の端部に掛止輪郭５９を有していて、この掛止輪郭により、フロントパネル５の、もしくはフロントパネルに配置された家具用金具８の、取付装置１のその他の構成部分に関する位置決めが容易にされる。このことは、フロントパネル５が極めて重たい場合には特に有利である。
【００３８】
さらに、家具用金具８は、仮想中心平面４９（図２ｃ参照）に対して非対称的に形成されている。
【００３９】
取付装置１はさらに、ロック装置１３のためのロック解除装置５０を含み、この場合、ロック解除装置５０は、取付装置１から家具用金具８を意図的に外すことを可能にし、ロック解除装置５０は、ロック装置１３を家具用金具８から離して、家具用金具８を解放する。この実施例では、ロック解除装置５０は、工具、例えばドライバのための、外側から接近可能な工具受容部を有しており、この工具受容部を介してロック解除装置５０は操作可能である。
【００４０】
その他に、取付装置１は、引出側壁７もしくは引出６に対して相対的にフロントパネル５の高さを調節することができる高さ調節装置５１を含んでいる。図示した実施例では、高さ調節装置５１は、丸み付けされた三角形輪郭７５を有した偏心ねじを含み、この偏心ねじは、組付けプレート４０に形成された支持輪郭７６に支持されている。
【００４１】
そして最後に、取付装置１は、引出側壁７もしくは引出６に対して相対的にフロントパネル５の側方の位置を調節することができる側方調節装置５２も含んでいる。図示した実施例では、側方調節装置５２は、ねじ山を有したねじを含み、このねじは、組付けプレート４０における開口７７に支持されている。
【００４２】
第１の実施例による取付装置１の機能形式を、次に図３ａ〜図６ｂにつき説明するが、この場合、これらの図では、平面図で、側方から見た構成部分が実線で示されており、それぞれ対向する側に配置された構成部分が破線で示されているので、全ての構成部分の相互作用をより良好に認識することができる。
【００４３】
図３ａおよび図３ｂには、第１の実施例による取付装置１が、家具用金具８もしくは横方向ピン４８の導入直前の状態で示されている。キャッチ装置１０は、キャッチ装置１０が家具用金具８を受容するために待機している待機位置に位置している。同時に、ロック装置１３は、家具用金具８がロック装置１３に対して自由に移動可能である解除位置に位置している。
【００４４】
キャッチレバー２３は、回転軸２２および組付けプレート４０における支持点７９に対して相対的に、超死点位置にある。作動体１７は、作動輪郭１８を介してロックレバー３１を解除位置に保持している。
【００４５】
家具用金具８の横方向ピン４８は、ガイド輪郭６０の掛止輪郭５９の高さに配置されている。
【００４６】
図３ａおよび図３ｂから出発して、使用者は、フロントパネル５を、ひいては家具用金具８もしくは横方向ピン４８を、引出６の方向へ動かす。この場合、キャッチ装置１０が、家具用金具８もしくは横方向ピン４８を受容する。キャッチレバー２３は、超死点位置から死点を越えて動かされ、これにより圧縮ばね２１に蓄えられていた力が解放されて、キャッチレバー２３は自動的にさらに動かされる。これにより、家具用金具８もしくは横方向ピン４８は、ガイド輪郭６０に沿ってさらに内側に向かって動かされる。換言すると、キャッチ装置１０が家具用金具８を自動的に引出６に向かって引っぱる。キャッチ装置１０は、この場合、一連の駆動位置を通過する。
【００４７】
図３ａおよび図３ｂと図４ａおよび図４ｂとを比較すると、ロックレバー３１の位置が変わっていないことが確認される。これは、作動体１７が、分離区分３７において作動輪郭１８に沿って動いたためである。このために、分離区分３７は、回転軸２２を中心とした仮想円に沿って実質的に円形に形成されている。作動輪郭１８はすなわち、家具用金具８を導入する際に、ロック装置１３の運動が、まずは、キャッチ装置１０の運動から分離されているように形成されている。すなわちこの場合、ロックレバー３１の運動のために力を加える必要はない。
【００４８】
図４ａおよび図４ｂの位置から出発して、作動体１７は、次いで、作動輪郭１８の連結区分３４内へと入る（図５ａおよび図５ｂ参照）。すなわち、ロック装置１３の運動は今や、キャッチ装置１０の運動に連結される。
【００４９】
この場合、横方向ピン４８もしくは家具用金具８は、キャッチ装置１０のキャッチレバー２３によってさらに引出６に向かって引っぱられる。同時に、ロックレバー３１は、横方向ピン４８の後方で、旋回点３０を中心として、下方に旋回し始め、ガイド輪郭６０を閉鎖する。
【００５０】
この工程は、図６ａおよび図６ｂに示した取付装置１の位置の場合のように、フロントパネル５が引出側壁７に当接するまで行われる。この位置では、ロックレバー３１が横方向ピン４８を、湾曲したロック輪郭２６を介してロックしている。これにより取付装置１から家具用金具８が意図に反して外れることが阻止される。ロック装置１３はロック位置をとっている。
【００５１】
家具用金具８を取付装置１から再び外そうとする場合には、このために、図示した実施例では、工具のための工具受容部としてキャッチレバー２３に形成されているロック解除装置５０を使用することができる。相応に形成されたドライバの先端を挿入することにより、キャッチレバー２３は再び当初の待機位置へと戻される。この場合、同時に、連結装置１７，１８を介してロック装置１３は、ロック位置から解除位置へと動かされ、この場合も、キャッチ装置１０の運動は、ロック装置１３の運動に一時的にのみ連結されている。
【００５２】
図７ａ〜図９ｂには、フロントパネル５を引出６に取外し可能に取り付けるための取付装置２の第２の実施例が示されている。この実施例は、特に高さのあるフロントパネル５の場合に用いられる。このために、フロントパネル５に予め取付け可能な、高さ方向で互いに重ねられて配置された２つの家具用金具８および９が設けられている。
【００５３】
家具用金具８と協働する取付装置２の下方部分は、前述した第１の実施例と実質的に同様に形成されている。しかしながらその他に、家具用金具９のために別のロック装置１４がさらに設けられており、ロック装置１４の運動は、下方の家具用金具８のためのキャッチ装置１０のもしくはロック装置１３の運動に連結されている。
【００５４】
運動の連結のために、ばねガイド５６が引き込まれる。すなわち、ばねガイド５６は、中間レバー６４の枢着軸６９が摺動可能に支持されているガイド軌道７０を含んでいる。中間レバー６４は、取付装置２の組付けプレート４１における旋回軸６５を中心として旋回可能に支持されている。ロック装置１４は、組付けプレート４１に対して相対的に直線摺動可能である。中間レバー６４は、一方ではピンとして形成された旋回軸６５を介して、他方では中間レバー６４に配置された別のピン６７を介してロック装置１４と協働する。ピン６５および６７は、ロック装置１４に形成されたガイド軌道６８および６６に係合する。
【００５５】
ロック装置１４は、この場合、直線状に形成された、家具用金具９のためのロック輪郭２７を有している。
【００５６】
中間レバー６４は、ばね２１の他にさらに、引っ張りばね６３によって負荷される。
【００５７】
さらに、組付けプレート４１にはカバープレート６２が配置されていることも補足しておく。
【００５８】
家具用金具９は、家具用金具８とは対照的に１つだけの取付エレメント４７を有している。さらに、家具用金具９は、横方向ピン４８を介してではなく、ピン７８を介して取付装置２と協働する。
【００５９】
特に、図８ａおよび８ｂと、図９ａおよび図９ｂとの比較によりわかるように、キャッチ装置１０のキャッチレバー２３が運動する際には、ロック装置１４は、伝達レバーとして機能するばねガイド５６と、ばね２１および６３と、中間レバー６４と、ガイド軌道６６および６８内に支持されたピン６５および６７とを介して、上方へと押される。この場合、家具用金具９もしくはピン７８は、ロック輪郭２７によってロックされるので、ロック装置１４は、取付装置２から家具用金具９が意図に反して外れることを阻止する。
【００６０】
ロック解除装置５０と、キャッチ装置１０とロック装置１４との間に配置された連結機構５６，６４，６６，６８，６５，６７，６３および２１とを介して、ロック装置１４を、ロック装置１３と共に再び初期の解除位置へと戻すことができる。
【００６１】
図１０ａ〜図１３ｂには取付装置３の第３の実施例が示されている。この取付装置３の機能形式は、第１の実施例による取付装置１の機能形式にほぼ相当する。
【００６２】
主な相違点は、ロック装置１５もしくはロックレバー３２の運動を、キャッチ装置１１もしくはキャッチレバー２４の運動に連結するための連結装置１７，１９の構成にある。すなわち、作動輪郭１９はこの場合、連結区分３５に隣接する開かれた端部３９を有している。作動体１７が作動輪郭１９の外側に位置している場合には、これらの運動は互いに分離されている（図１０ａ〜図１１ｂ参照）。作動体１７が、開かれた端部３９から連結区分３５内へと進入すると、作動体１７は連結区分３５に沿って動き、これにより運動が互いに連結される。
【００６３】
横方向ピン４８のロックは、この場合も、ロックレバー３２に形成された湾曲したロック輪郭２８を介して行われる。
【００６４】
作動体１７は、この実施例でも、組付けプレート４２に形成されているガイド輪郭４５に沿って運動する。
【００６５】
図１４ａ〜図１９ｂには取付装置４の第４の実施例が示されている。この取付装置４の機能形式は、第１および第３の実施例による取付装置１および３の機能形式にほぼ相当する。
【００６６】
この実施例における特別な点は、支持体１７をガイドするための組付けプレート４３におけるガイド輪郭４６の他に、さらに１つのキャッチレバー輪郭７１が、キャッチ装置１２のキャッチレバー２５に対応して配置された連行体７２をガイドするために設けられていることにある。
【００６７】
ロック装置１６のロックレバー３３の運動と、キャッチ装置１２のキャッチレバー２５の運動とは、この実施例では、作動体１７と、連結区分３６および分離区分３８とを含む作動輪郭２０とを介して連結されるだけではなく、ロック解除装置５０によって取付装置４から家具用金具が意図的に外される場合にも、ロック位置から待機位置へとキャッチレバー２５が運動する際にキャッチレバー２５の外輪郭８０に当接する連行体７２を介して連結され、これによりロックレバー３３は一緒に運動する。
【００６８】
図２０ａ〜図２２ｂには本発明による取付装置８１の第５の実施例が示されている。この実施例は、第２の実施例に極めて類似しているものである。家具用金具９を取り付けるための上方部分の構成が異なっている。家具用金具８の導入の際には、キャッチ装置１０のキャッチレバー２３は、ばね２１の作用下で、超死点位置から回転軸２２を中心として旋回させられる。この場合、ばねガイド５６も支持点９２を中心として旋回する。ばねガイド５６の端部には、ガイド軌道７０が配置されていて、このガイド軌道内には中間レバー８７の枢着軸６９が可動に支持されている。ばねガイド５６の旋回により、中間レバー８７は旋回軸８８を中心として傾動する。これにより、次いで、ガイド軌道８９内に支持されているピン９０を介して、ロック装置８２のロックレバー８５は回転軸８４を中心として旋回し、これにより、湾曲されて形成されたロック輪郭８３を有するロックレバー８５は、家具用金具９のピン７８に当接する。ピン９０はロックレバー８５に、ガイド軌道８９は中間レバー８７に配置されている。ピン９０は同時に、組付けプレート８６に形成されたガイド軌道９１によってガイドされる。
【００６９】
解除位置からロック位置へとロックレバー８５が運動する際に、引っ張りばね６３は緊張させられる。この場合、引っ張りばね６３に蓄えられる力は、ロック解除装置５０により取付装置８１から家具用金具８および９を意図的に外す際に、ロック位置から解除位置へのロックレバー８５の逆方向の運動を支援する。
【図１】
2021501654.tif 000003
【図２ａ】
2021501654.tif 000004
【図２ｂ】
2021501654.tif 000005
【図２ｃ】
2021501654.tif 000006
【図３ａ】
2021501654.tif 000007
【図３ｂ】
2021501654.tif 000008
【図４ａ】
2021501654.tif 000009
【図４ｂ】
2021501654.tif 000010
【図５ａ】
2021501654.tif 000011
【図５ｂ】
2021501654.tif 000012
【図６ａ】
2021501654.tif 000013
【図６ｂ】
2021501654.tif 000014
【図７ａ】
2021501654.tif 000015
【図７ｂ】
2021501654.tif 000016
【図８ａ】
2021501654.tif 000017
【図８ｂ】
2021501654.tif 000018
【図９ａ】
2021501654.tif 000019
【図９ｂ】
2021501654.tif 000020
【図１０ａ】
2021501654.tif 000021
【図１０ｂ】
2021501654.tif 000022
【図１１ａ】
2021501654.tif 000023
【図１１ｂ】
2021501654.tif 000024
【図１２ａ】
2021501654.tif 000025
【図１２ｂ】
2021501654.tif 000026
【図１３ａ】
2021501654.tif 000027
【図１３ｂ】
2021501654.tif 000028
【図１４ａ】
2021501654.tif 000029
【図１４ｂ】
2021501654.tif 000030
【図１５ａ】
2021501654.tif 000031
【図１５ｂ】
2021501654.tif 000032
【図１６ａ】
2021501654.tif 000033
【図１６ｂ】
2021501654.tif 000034
【図１７ａ】
2021501654.tif 000035
【図１７ｂ】
2021501654.tif 000036
【図１８ａ】
2021501654.tif 000037
【図１８ｂ】
2021501654.tif 000038
【図１９ａ】
2021501654.tif 000039
【図１９ｂ】
2021501654.tif 000040
【図２０ａ】
2021501654.tif 000041
【図２０ｂ】
2021501654.tif 000042
【図２１ａ】
2021501654.tif 000043
【図２１ｂ】
2021501654.tif 000044
【図２２ａ】
2021501654.tif 000045
【図２２ｂ】
2021501654.tif 000046
【国際調査報告】
2021501654.tif 000047
2021501654.tif 000048
2021501654.tif 000049
2021501654.tif 000050